(57)【要約】【課題】管理者などが設定したコンセントの利用条件にしたがって管理者への支払いおよび／またはユーザへの課金を適切に行うことができる技術を提供する。【解決手段】管理サーバ１８において、第１取得部５０は、複数のコンセントのそれぞれの利用条件を取得する。特定部６０は、ユーザの車両に電力を供給するコンセントを特定する。第２取得部５２は、特定されたコンセントから供給される電力による車両の充電実績情報を取得する。導出部５４は、第１取得部５０で取得された、特定されたコンセントの利用条件と、第２取得部５２で取得された充電実績情報とにもとづいて、特定されたコンセントの設置場所の管理者への支払額および／またはユーザへの課金額を導出する。【選択図】図２
2019204160.tif 000002
【特許請求の範囲】
【請求項１】
複数のコンセントのそれぞれの利用条件を取得する第１取得部と、
ユーザの車両に電力を供給するコンセントを特定する特定部と、
特定されたコンセントから供給される電力による前記車両の充電実績情報を取得する第２取得部と、
前記第１取得部で取得された、特定されたコンセントの前記利用条件と、前記第２取得部で取得された前記充電実績情報とにもとづいて、特定されたコンセントの設置場所の管理者への支払額および／または前記ユーザへの課金額を導出する導出部と、
を備えることを特徴とする管理サーバ。
【請求項２】
前記導出部は、特定されたコンセントの前記利用条件が前記管理者によって設定された場合、前記利用条件と前記充電実績情報とにもとづいて、前記管理者への支払額および前記ユーザへの課金額を導出する、ことを特徴とする請求項１に記載の管理サーバ。
【請求項３】
特定されたコンセントに電力を供給する電力供給者と、前記管理者との間の電力供給に関する契約情報を取得する第３取得部をさらに備え、
前記導出部は、特定されたコンセントの前記利用条件が前記管理サーバの所有者によって設定された場合、前記利用条件と前記充電実績情報とにもとづいて前記ユーザへの課金額を導出し、且つ、前記第３取得部で取得された前記契約情報と前記充電実績情報とにもとづいて前記管理者への支払額を導出する、ことを特徴とする請求項１に記載の管理サーバ。
【請求項４】
前記利用条件は、時間帯ごとに設定された前記ユーザへの課金の単価を含む、ことを特徴とする請求項１から３のいずれかに記載の管理サーバ。
【請求項５】
前記ユーザに所有されるユーザ端末に、当該ユーザが指定したコンセントの前記利用条件を送信する通信部と、
前記ユーザによる前記利用条件への同意情報を前記通信部が前記ユーザ端末から受信した場合、前記コンセントに給電を許可する制御部と、
をさらに備えることを特徴とする請求項１から４のいずれかに記載の管理サーバ。
【請求項６】
複数のコンセントのそれぞれの利用条件を取得する第１取得ステップと、
ユーザの車両に電力を供給するコンセントを特定する特定ステップと、
特定されたコンセントから供給される電力による前記車両の充電実績情報を取得する第２取得ステップと、
前記第１取得ステップで取得された、特定されたコンセントの前記利用条件と、前記第２取得ステップで取得された前記充電実績情報とにもとづいて、特定されたコンセントの設置場所の管理者への支払額および／または前記ユーザへの課金額を導出する導出ステップと、
を備えることを特徴とする情報処理方法。
【請求項７】
複数の電力供給装置と、
前記複数の電力供給装置と通信を行う管理サーバと、を備え、
前記複数の電力供給装置のそれぞれは、
電力供給者から電力が供給されるコンセントと、
前記コンセントから供給される電力によるユーザの車両の充電実績情報を記録する制御装置と、を備え、
前記管理サーバは、
前記複数の電力供給装置の複数のコンセントのそれぞれの利用条件を取得する第１取得部と、
前記車両に電力を供給するコンセントを特定する特定部と、
特定されたコンセントに対応する制御装置から、前記充電実績情報を取得する第２取得部と、
前記第１取得部で取得された、特定されたコンセントの前記利用条件と、前記第２取得部で取得された前記充電実績情報とにもとづいて、特定されたコンセントの設置場所の管理者への支払額および／または前記ユーザへの課金額を導出する導出部と、
を備えることを特徴とする情報処理システム。
【請求項８】
前記管理サーバは、前記ユーザに所有されるユーザ端末に、当該ユーザが指定したコンセントの前記利用条件を送信する通信部をさらに備え、
前記制御装置は、前記通信部が前記利用条件を送信した場合、前記車両が前記コンセントに電気的に接続されると、前記コンセントに給電を開始させる、ことを特徴とする請求項７に記載の情報処理システム。
【発明の詳細な説明】
【技術分野】
【０００１】
本発明は、電力の取引に関する情報を管理する管理サーバ、情報処理方法および情報処理システムに関する。
【背景技術】
【０００２】
電気自動車で外出した運転者が、外出先の住宅や店舗などに設置されたコンセントを用いて電気自動車に充電可能なシステムが知られている。特許文献１は、電力供給場所のコンセントから自動車に供給された電力量の情報が、センタ装置から当該自動車の所有者が契約する電力供給者に通知される電力料金課金システムを開示する。このシステムでは、自動車に給電した電力量に応じた料金が自動車の所有者に直接課金され、電力供給場所の管理者に対しては、自動車に給電した電力量を差し引いた差分電力量の料金が課金される。
【先行技術文献】
【特許文献】
【０００３】
【特許文献１】特開２０１０−０７９４５６号公報
【発明の概要】
【発明が解決しようとする課題】
【０００４】
本発明者らは、コンセントを設置した事情は管理者ごとに異なるため、それぞれの管理者がコンセントの利用料金などを決定したいという要望があることを認識した。また、充電サービスの提供者にもコンセントの利用料金などを決定したいという要望があることを認識した。
【０００５】
本発明の目的は、そのような管理者などの要望に応じて、管理者などが設定したコンセントの利用条件にしたがって管理者への支払いおよび／またはユーザへの課金を適切に行うことができる管理サーバ、情報処理方法および情報処理システムを提供することにある。
【課題を解決するための手段】
【０００６】
上記課題を解決するために、本発明のある態様の管理サーバは、複数のコンセントのそれぞれの利用条件を取得する第１取得部と、ユーザの車両に電力を供給するコンセントを特定する特定部と、特定されたコンセントから供給される電力による前記車両の充電実績情報を取得する第２取得部と、前記第１取得部で取得された、特定されたコンセントの前記利用条件と、前記第２取得部で取得された前記充電実績情報とにもとづいて、特定されたコンセントの設置場所の管理者への支払額および／または前記ユーザへの課金額を導出する導出部と、を備える。
【０００７】
この態様によると、コンセントの利用条件と充電実績情報とにもとづいて、管理者への支払額および／またはユーザへの課金額を導出するので、管理者などが設定した利用条件にしたがって管理者への支払いおよび／またはユーザへの課金を適切に行うことができる。
【０００８】
前記導出部は、特定されたコンセントの前記利用条件が前記管理者によって設定された場合、前記利用条件と前記充電実績情報とにもとづいて、前記管理者への支払額および前記ユーザへの課金額を導出してもよい。
【０００９】
前記管理サーバは、特定されたコンセントに電力を供給する電力供給者と、前記管理者との間の電力供給に関する契約情報を取得する第３取得部をさらに備えてもよい。前記導出部は、特定されたコンセントの前記利用条件が前記管理サーバの所有者によって設定された場合、前記利用条件と前記充電実績情報とにもとづいて前記ユーザへの課金額を導出し、且つ、前記第３取得部で取得された前記契約情報と前記充電実績情報とにもとづいて前記管理者への支払額を導出してもよい。
【００１０】
前記利用条件は、時間帯ごとに設定された前記ユーザへの課金の単価を含んでもよい。
【００１１】
前記管理サーバは、前記ユーザに所有されるユーザ端末に、当該ユーザが指定したコンセントの前記利用条件を送信する通信部と、前記ユーザによる前記利用条件への同意情報を前記通信部が前記ユーザ端末から受信した場合、前記コンセントに給電を許可する制御部と、をさらに備えてもよい。
【００１２】
本発明の別の態様は、情報処理方法である。この方法は、複数のコンセントのそれぞれの利用条件を取得する第１取得ステップと、ユーザの車両に電力を供給するコンセントを特定する特定ステップと、特定されたコンセントから供給される電力による前記車両の充電実績情報を取得する第２取得ステップと、前記第１取得ステップ取得された、特定されたコンセントの前記利用条件と、前記第２取得ステップで取得された前記充電実績情報とにもとづいて、特定されたコンセントの設置場所の管理者への支払額および／または前記ユーザへの課金額を導出する導出ステップと、を備える。
【００１３】
この態様によると、コンセントの利用条件と充電実績情報とにもとづいて、管理者への支払額および／またはユーザへの課金額を導出するので、管理者などが設定した利用条件にしたがって管理者への支払いおよび／またはユーザへの課金を適切に行うことができる。
【００１４】
本発明のさらに別の態様は、情報処理システムである。この情報処理システムは、複数の電力供給装置と、前記複数の電力供給装置と通信を行う管理サーバと、を備える。前記複数の電力供給装置のそれぞれは、電力供給者から電力が供給されるコンセントと、前記コンセントから供給される電力によるユーザの車両の充電実績情報を記録する制御装置と、を備える。前記管理サーバは、前記複数の電力供給装置の複数のコンセントのそれぞれの利用条件を取得する第１取得部と、前記車両に電力を供給するコンセントを特定する特定部と、特定されたコンセントに対応する制御装置から、前記充電実績情報を取得する第２取得部と、前記第１取得部で取得された、特定されたコンセントの前記利用条件と、前記第２取得部で取得された前記充電実績情報とにもとづいて、特定されたコンセントの設置場所の管理者への支払額および／または前記ユーザへの課金額を導出する導出部と、を備える。
【００１５】
この態様によると、コンセントの利用条件と充電実績情報とにもとづいて、管理者への支払額および／またはユーザへの課金額を導出するので、管理者などが設定した利用条件にしたがって管理者への支払いおよび／またはユーザへの課金を適切に行うことができる。
【００１６】
前記管理サーバは、前記ユーザに所有されるユーザ端末に、当該ユーザが指定したコンセントの前記利用条件を送信する通信部をさらに備えてもよい。前記制御装置は、前記通信部が前記利用条件を送信した場合、前記車両が前記コンセントに電気的に接続されると、前記コンセントに給電を開始させてもよい。
【発明の効果】
【００１７】
本発明によれば、コンセントの設置場所の管理者などが設定した利用条件にしたがって管理者への支払いおよび／またはユーザへの課金を適切に行うことができる。
【図面の簡単な説明】
【００１８】
【図１】第１の実施の形態に係る情報処理システムの構成を示す図である。
【図２】図１の管理サーバの構成を示す図である。
【図３】図１の情報処理システムにおける処理を示すシーケンス図である。
【図４】第２の実施の形態に係る管理サーバの構成を示す図である。
【発明を実施するための形態】
【００１９】
（第１の実施の形態）
図１は、第１の実施の形態に係る情報処理システム１の構成を示す。情報処理システム１は、複数の電力供給装置１０と、課金サーバ１２と、複数のユーザ端末１４と、複数の管理者端末１６と、管理サーバ１８とを備える。
【００２０】
電力供給装置１０は、例えば、店舗、住宅、会社、駐車場などの施設に設置され、管理サーバ１８に予め登録された複数のユーザのいずれかが所有する車両２０に対して電力を供給可能である。電力供給装置１０は、認証型コンセントとも呼ばれる。電力供給装置１０は、コンセント３０と、制御装置３２とを有する。電力供給装置１０が設置された施設を、コンセント３０の設置場所１００と呼ぶ。
【００２１】
コンセント３０には、電力会社などの電力供給者から電力が供給される。コンセント３０には、充電ケーブルを用いてユーザの車両２０を電気的に接続可能である。車両２０は、車両駆動力を発生する電動機と、電動機を駆動する電力を蓄電する二次電池とを備える電気自動車、ハイブリッド車両などである。コンセント３０から車両２０に電力が供給され、車両２０に搭載された二次電池が充電される。制御装置３２は、管理サーバ１８および課金サーバ１２と有線通信または無線通信を行うとともに、コンセント３０による給電を制御する。
【００２２】
課金サーバ１２は、例えば電力供給者のデータセンタに設置される。課金サーバ１２は、電力供給者からコンセント３０の設置場所１００に供給される電力の電力料金を導出する。導出された電力料金は、コンセント３０から車両２０に供給された電力の電力料金と、電力供給装置１０以外の電気機器などで消費された電力の電力料金を含む。導出された電力料金は、コンセント３０の設置場所１００の管理者に請求される。
【００２３】
管理者端末１６は、管理者が利用する端末である。管理者端末１６は、スマートフォン、携帯電話、タブレット端末、ノートパソコン、ウェアラブル端末などの携帯端末であってもよいし、パーソナルコンピュータなどの据え置き型の端末であってもよい。
【００２４】
管理者端末１６は、管理サーバ１８と無線通信を行う。管理者端末１６は、管理者によるコンセント３０の利用条件の入力を受け付ける。つまり、管理者がコンセント３０の利用条件を設定する。管理者端末１６は、受け付けた利用条件を管理サーバ１８に送信する。利用条件は、ユーザへの課金の単価を含む。利用条件は、例えば、コンセント３０の利用可能時間、および／または、利用可能なユーザの格付けをさらに含んでもよい。コンセント３０の利用可能時間が含まれる場合、利用可能時間外では、コンセント３０の利用は禁止される。利用可能なユーザの格付けが含まれる場合、利用可能な格付けより低い格付けのユーザによるコンセント３０の利用は禁止される。
【００２５】
管理サーバ１８は、例えばデータセンタに設置され、複数のユーザ端末１４、複数の管理者端末１６および複数の電力供給装置１０から送信された情報を処理して、ユーザ認証処理、支払処理および請求処理などを実行する情報処理装置として機能する。管理サーバ１８は、複数の管理者端末１６のそれぞれから送信された利用条件を保持する。管理サーバ１８の構成は後述する。
【００２６】
ユーザ端末１４は、車両２０のユーザに所有される。ユーザ端末１４は、スマートフォン、携帯電話、タブレット端末、ノートパソコン、ウェアラブル端末などの携帯端末であってもよいし、カーナビゲーションシステムなどとして構成された車載端末であってもよい。
【００２７】
ユーザ端末１４は、管理サーバ１８と無線通信を行う。ユーザ端末１４は、管理サーバ１８から受信した情報にもとづいて、例えば、現在位置付近の複数のコンセント３０の情報を表示する。コンセント３０の情報は、位置などの情報を含む。ユーザ端末１４は、ユーザによるコンセント３０の利用要求の入力を受け付けることができる。利用要求は、例えば、ユーザが指定したコンセント３０を識別する情報を含む。ユーザ端末１４は、受け付けた利用要求を管理サーバ１８に送信する。利用要求には、ユーザを識別する情報が添付される。
【００２８】
管理サーバ１８は、ユーザ端末１４から送信された利用要求にしたがい、ユーザが指定したコンセント３０の電力供給装置１０へロック解除要求を送信し、そのコンセント３０の利用条件をユーザ端末１４に送信する。管理サーバ１８は、ユーザが指定したコンセント３０の利用条件が、コンセント３０の利用可能時間、利用可能なユーザの格付けなどの単価以外の条件を含む場合、単価以外の条件が満たされていればロック解除要求を送信し、単価以外の条件が満たされていなければロック解除要求を送信しない。ユーザの格付けは、例えば、ユーザの支払状況、充電完了後に車両２０を移動させるまでの時間などに応じて定められ、管理サーバ１８に保持される。
【００２９】
制御装置３２は、ロック解除要求を管理サーバ１８から受信した場合、コンセント３０のロック解除を行う。ロック状態では、コンセント３０に車両２０が接続された場合であっても、制御装置３２はコンセント３０に給電させない。
【００３０】
ユーザ端末１４は、利用要求の送信後、指定したコンセント３０の利用条件を管理サーバ１８から受信する。ユーザ端末１４は、利用条件に含まれる単価を表示する。ユーザ端末１４で単価を確認したユーザは、指定したコンセント３０を利用するか判断できる。単価に同意したユーザは、車両２０とコンセント３０を充電ケーブルで接続する。ユーザは、単価に同意しなければ、他のコンセント３０を指定することができる。
【００３１】
制御装置３２は、ロック解除された状態でコンセント３０に車両２０が接続された場合、コンセント３０に車両２０への給電を開始させる。制御装置３２は、充電開始から所定時間が経過した場合、車両２０の二次電池が満充電になった場合、ユーザがコンセント３０から充電ケーブルを抜いた場合などに、コンセント３０に車両２０への給電を終了させる。
【００３２】
制御装置３２は、コンセント３０から車両２０に供給される電力による車両２０の充電実績情報を記録する。充電実績情報は、コンセント３０から車両２０に電力が供給された時間である充電時間を含む。制御装置３２は、充電完了後、記録した充電実績情報を管理サーバ１８に送信する。
【００３３】
管理サーバ１８は、充電を行ったコンセント３０の利用条件と充電実績情報とにもとづいて、管理者への支払額およびユーザへの課金額を導出し、管理者への支払額の支払処理と、ユーザへの課金額の請求処理を行う。管理者への支払額は、コンセント３０から車両２０に供給された電力の料金を補填する額である。管理サーバ１８は、充電料金の領収情報をユーザ端末１４に送信し、管理者への支払額の支払完了情報を管理者端末１６に送信する。
【００３４】
ユーザ端末１４は、充電完了後、領収情報を管理サーバ１８から受信する。管理者端末１６は、充電完了後、支払完了情報を管理サーバ１８から受信する。
【００３５】
図２は、図１の管理サーバ１８の構成を示す。管理サーバ１８は、通信部４０と、処理部４２とを備える。処理部４２は、第１取得部５０と、第２取得部５２と、導出部５４と、支払処理部５６と、請求処理部５８と、特定部６０とを備える。
【００３６】
通信部４０は、複数のユーザ端末１４と無線通信を行う。通信部４０は、複数の管理者端末１６および複数の電力供給装置１０と有線通信または無線通信を行う。通信部４０は、複数の管理者端末１６のそれぞれからコンセント３０の利用条件を受信し、受信した利用条件を処理部４２に出力する。第１取得部５０は、複数のコンセント３０のそれぞれの利用条件を取得する。
【００３７】
通信部４０は、ユーザ端末１４から利用要求を受信し、受信した利用要求を処理部４２に出力する。処理部４２は、利用要求に添付されたユーザを識別する情報にしたがい、ユーザ認証を行う。処理部４２は、ユーザ認証を完了した場合、利用要求に含まれるコンセント３０を識別する情報にもとづいて、通信部４０を介して、ユーザが指定したコンセント３０の電力供給装置１０へロック解除要求を送信する。
【００３８】
特定部６０は、複数のコンセント３０の中から、ユーザが指定したコンセント３０であるユーザの車両２０に電力を供給するコンセント３０を特定する。
【００３９】
通信部４０は、ユーザ端末１４に、ユーザが指定したコンセント３０の利用条件を送信する。通信部４０は、ユーザが指定したコンセント３０の電力供給装置１０から充電実績情報を受信する。第２取得部５２は、通信部４０で受信された充電実績情報を取得する。これは、第２取得部５２が、特定部６０で特定されたコンセント３０から供給される電力による充電実績情報を取得することに相当する。
【００４０】
導出部５４は、特定されたコンセント３０の利用条件が管理者によって設定された場合、第１取得部５０で取得された、特定されたコンセント３０の利用条件と、第２取得部５２で取得された充電実績情報とにもとづいて、特定されたコンセント３０の設置場所の管理者への支払額およびユーザへの課金額を導出する。例えば、導出部５４は、利用条件に含まれる単価と、充電実績情報に含まれる充電時間とを所定の計算式に代入して、管理者への支払額およびユーザへの課金額を導出できる。例えば、管理者への支払額は、ユーザへの課金額と等しい。
【００４１】
支払処理部５６は、導出された支払額の管理者への支払処理を行い、通信部４０を介して支払完了情報を管理者端末１６へ送信する。請求処理部５８は、導出された課金額のユーザへの課金処理を行い、通信部４０を介して領収情報をユーザ端末１４へ送信する。支払処理と課金処理は、周知の技術にもとづいて実行できる。
【００４２】
処理部４２の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４３】
次に、以上の構成による情報処理システム１の全体的な動作を説明する。図３は、図１の情報処理システム１における処理を示すシーケンス図である。
【００４４】
管理者端末１６は、利用条件を管理サーバ１８に登録する（Ｓ１０）。ユーザ端末１４は、利用要求を管理サーバ１８へ送信する（Ｓ１２）。管理サーバ１８は、利用要求にしたがい、ロック解除要求を電力供給装置１０へ送信する（Ｓ１４）。電力供給装置１０は、ロック解除要求にしたがいロック解除を行う（Ｓ１６）。
【００４５】
管理サーバ１８は、利用条件をユーザ端末１４に送信する（Ｓ１８）。利用条件に同意したユーザが車両２０とコンセント３０を充電ケーブルで接続すると、電力供給装置１０は、車両２０の充電を開始する（Ｓ２０）。電力供給装置１０は、所定の場合に車両２０の充電を完了する（Ｓ２２）。電力供給装置１０は、充電実績情報を管理サーバ１８に送信する（Ｓ２４）。
【００４６】
管理サーバ１８は、利用条件と充電実績情報とにもとづいて、管理者への支払額およびユーザへの課金額を導出し、支払処理と請求処理を行う（Ｓ２６）。管理サーバ１８は、領収情報をユーザ端末１４に送信し（Ｓ２８）、支払完了情報を管理者端末１６に送信する（Ｓ３０）。
【００４７】
本実施の形態によれば、コンセント３０の利用条件と充電実績情報とにもとづいて、管理者への支払額およびユーザへの課金額を導出するので、管理者が設定した利用条件にしたがって管理者への支払いおよびユーザへの課金を適切に行うことができる。
【００４８】
例えば、管理者がユーザへの課金の単価を無料とする利用条件を設定した場合、ユーザへの課金額はゼロであり、管理者への支払額もゼロである。そのため、例えばコンセント３０の設置場所が店舗である場合、管理者は、ユーザによる充電の電力料金を負担することで、充電中の車両２０の乗員を店舗の顧客として獲得できる可能性がある。
【００４９】
また、管理者が、ユーザへの課金の単価を、電力供給者と管理者との間の電力供給の契約単価より高くする利用条件を設定した場合、ユーザへの課金額は、管理者への支払額と等しく、電力供給者から管理者に課金される電力料金より高い額である。そのため、管理者は利益を得ることができる。この状況としては、例えばコンセント３０の設置場所が駐車場付きの住宅であり、管理者がこの駐車場を開放して利益を得たい場合が想定できる。
【００５０】
利用条件は、時間帯ごとに設定されたユーザへの課金の単価を含むので、管理者がコンセント３０を設置した事情に応じて柔軟な料金設定を実行できる。例えば、店舗が閉店している夜間では、充電中の車両２０の乗員が店舗の顧客にならないので、店舗の管理者は、夜間の単価を店舗が開店している昼間の単価より高く設定できる。
【００５１】
また、通信部４０がユーザ端末１４に利用条件を送信した場合、車両２０が接続されるとコンセント３０に給電を開始させるので、利用条件に同意したユーザの車両２０に充電できる。
【００５２】
（第２の実施の形態）
第２の実施の形態では、利用条件が管理サーバ１８の所有者、すなわち充電サービスの提供者によって設定されることが、第１の実施の形態と異なる。以下では、第１の実施の形態との相違点を中心に説明する。
【００５３】
制御装置３２は、課金サーバ１２から、電力供給者とコンセント３０の設置場所１００の管理者との間の電力供給に関する契約情報を取得し、取得した契約情報を保持する。制御装置３２は、既に契約情報を保持している場合には、課金サーバ１２から契約情報を取得しなくてもよい。契約情報は、単位電力量あたりの料金である契約単価を含む。契約単価は、時間帯ごとに設定されていてもよい。制御装置３２は、保持している契約情報を管理サーバ１８に送信する。
【００５４】
ユーザ端末１４は、コンセント３０の利用条件を受信した場合、ユーザから利用条件に同意する入力を受け付け、その同意情報を管理サーバ１８に送信する。
【００５５】
図４は、第２の実施の形態に係る管理サーバ１８の構成を示す。処理部４２は、第３取得部６２と、制御部６４とをさらに備える。通信部４０は、ユーザが指定したコンセント３０の電力供給装置１０から契約情報を受信する。第３取得部６２は、通信部４０で受信された、ユーザが指定したコンセント３０に関する契約情報を取得する。
【００５６】
制御部６４は、ユーザによる利用条件への同意情報を通信部４０がユーザ端末１４から受信した場合、通信部４０を介して電力供給装置１０に給電許可情報を送信し、コンセント３０に給電を許可する。制御部６４は、同意情報を通信部４０が受信しない場合、給電許可情報を送信せず、給電を禁止する。電力供給装置１０の制御装置３２は、給電許可情報を受信した場合、コンセント３０に給電させ、受信しない場合、給電させない。
【００５７】
導出部５４は、特定部６０で特定されたコンセント３０の利用条件が管理サーバ１８の所有者によって設定された場合、利用条件と充電実績情報とにもとづいてユーザへの課金額を導出し、且つ、第３取得部６２で取得された契約情報と充電実績情報とにもとづいて管理者への支払額を導出する。
【００５８】
例えば、管理サーバ１８の所有者が、キャンペーンなどとしてユーザへの課金の単価を無料とする利用条件を設定した場合、ユーザへの課金額は無料である。管理者への支払額は、電力供給者から管理者に課金される電力料金に対応する額である。そのため、例えばコンセント３０の設置場所が店舗である場合、管理者は、充電の電力料金を負担することなく、充電中の車両２０の乗員を店舗の顧客として獲得できる可能性がある。
【００５９】
また、管理サーバ１８の所有者が、ユーザへの課金の単価を契約情報の契約単価より高くする利用条件を設定した場合、ユーザへの課金額は、管理者への支払額より高くなる。管理者への支払額は、電力供給者から管理者に課金される電力料金に対応する額になる。そのため、管理者に充電の電力料金を負担させずに、管理サーバ１８の所有者は利益を得ることができる。
【００６０】
本実施の形態によれば、コンセント３０の利用条件と充電実績情報とにもとづいて、ユーザへの課金額を導出するので、管理サーバ１８の所有者が設定した利用条件にしたがってユーザへの課金を適切に行うことができる。また、契約情報と充電実績情報とにもとづいて管理者への支払額を導出するので、電力供給者から管理者に課金される電力料金に対応する適切な額を管理者に補填できる。
【００６１】
また、ユーザ端末１４が受け付けたユーザによる利用条件への同意情報に応じてコンセント３０に給電を許可するので、利用条件に同意したユーザの車両２０に充電できる。
【００６２】
（第３の実施の形態）
第３の実施の形態では、ユーザには定額の利用料金が請求されることが、第１の実施の形態と異なる。以下では、第１の実施の形態との相違点を中心に説明する。
【００６３】
請求処理部５８は、所定のタイミングで複数のユーザのそれぞれに対して所定金額の請求処理を実行する。所定のタイミングは、例えば、一ヶ月に一回のタイミングである。この場合、月額定額の利用料金の請求である。
【００６４】
導出部５４は、特定部６０で特定されたコンセント３０の利用条件が所定条件を満たす場合、利用条件と充電実績情報とにもとづいて、当該コンセント３０の設置場所１００の管理者への支払額を導出する。
【００６５】
コンセント３０の利用条件は、管理者によって設定される。所定条件は、管理サーバ１８の所有者により設定され、例えば、コンセント３０の利用可能時間が２４時間であり、かつ、ユーザへの課金の単価が所定額以下であることである。所定条件は、コンセント３０の利用可能時間が夜間を含み、かつ、ユーザへの課金の単価が所定額以下であることでもよい。
【００６６】
導出部５４は、特定部６０で特定されたコンセント３０の利用条件が所定条件を満たさない場合、充電実績情報にもとづいて、当該コンセント３０の設置場所１００の管理者への支払額を導出する。例えば、導出部５４は、第２取得部５２で取得された複数のコンセント３０のそれぞれに関する充電実績情報にもとづいて、複数のユーザに対して請求処理が行われた金額の総計に応じた金額を各コンセント３０の設置場所１００の管理者に配分し、各管理者に配分された金額を各管理者への支払額とする。利用条件が所定条件を満たさない場合の支払額は、利用条件が所定条件を満たす場合の支払額よりも低くする。
【００６７】
本実施の形態によれば、所定条件を満たす利用条件を設定した管理者を、他の管理者より金銭的に優遇することで、ユーザへの課金に定額制を採用しつつ、ユーザの利便性を高めることができる利用条件のコンセント３０を提供できる。
【００６８】
以上、実施の形態をもとに本発明を説明した。実施の形態はあくまでも例示であり、各構成要素や各処理プロセスの組合せにいろいろな変形例が可能なこと、またそうした変形例も本発明の範囲にあることは当業者に理解されるところである。
【００６９】
例えば、第１から第３の実施の形態において、コンセント３０の設置場所１００に太陽光発電システムが設けられている場合、電力供給装置１０は、太陽光発電電力を優先的に車両２０に供給してもよい。設置場所１００に蓄電システムが設けられている場合、電力供給装置１０は、深夜電力などで蓄電池に充電した電力を優先的に車両２０に供給してもよい。この変形例では、管理者の利益を向上できる。
【００７０】
第１の実施の形態において、処理部４２は第２の実施の形態の制御部６４を備えてもよい。第２の実施の形態において、処理部４２は制御部６４を備えなくてもよく、第１の実施の形態と同様に、通信部４０がユーザ端末１４に利用条件を送信した場合、制御装置３２は、車両２０が接続されるとコンセント３０に給電を開始させてもよい。これらの変形例では、情報処理システム１の構成の自由度を向上できる。
【００７１】
第１から第３の実施の形態において、充電実績情報は、コンセント３０から車両２０に供給された電力量を含んでもよい。この場合、第１の実施の形態では、導出部５４は、利用条件に含まれる単価と、充電実績情報に含まれる電力量とを所定の計算式に代入して、管理者への支払額およびユーザへの課金額を導出してもよい。この変形例では、情報処理システム１の構成の自由度を向上できる。
【符号の説明】
【００７２】
１…情報処理システム、１０…電力供給装置、１２…課金サーバ、１４…ユーザ端末、１６…管理者端末、１８…管理サーバ、２０…車両、３０…コンセント、３２…制御装置、４０…通信部、４２…処理部、５０…第１取得部、５２…第２取得部、５４…導出部、５６…支払処理部、５８…請求処理部、６０…特定部、６２…第３取得部、６４…制御部、１００…設置場所。
【図１】
2019204160.tif 000003
【図２】
2019204160.tif 000004
【図３】
2019204160.tif 000005
【図４】
2019204160.tif 000006